(57)【要約】【課題】  従来の介助装置では、支持杆と面状支持部としてのパッドの両方を利用するものもあるが、それらは合理的に有機的に組み合わされていないため、使い勝手が悪い。【解決手段】  そこで本発明では、面状支持部１と、その周囲に間隔を置いて配置した環状フレーム部２とを略同一平面状に結合して介助用支持体３を構成し、この介助用支持体３を、立設した支柱４で支持する構成とした介助装置を提案している。この介助装置は、支柱４の下部をベッド等の仰臥台やソファ等に固定して立設する構成とする他、自立式に立設する構成とすることができる。【選択図】    図１
2015073849.tif 000002
【特許請求の範囲】
【請求項１】
面状支持部と、その周囲に間隔を置いて配置した環状フレーム部とを略同一平面状に結合して介助用支持体を構成し、この介助用支持体を、立設した支柱で支持する構成としたことを特徴とする介助装置。
【請求項２】
介助用支持体は、面状支持部の一方側に偏倚させて設けた棒体を環状フレーム部に結合して構成したことを特徴とする請求項１に記載の介助装置。
【請求項３】
面状支持部は板状体として構成したことを特徴とする請求項１に記載の介助装置。
【請求項４】
面状支持部はフレームにより構成したことを特徴とする請求項１に記載の介助装置。
【請求項５】
フレームを挟んで、一対の上下板状殻体を装着して面状支持部を構成したことを特徴とする請求項４に記載の介助装置。
【請求項６】
面状支持部の中央部を凹ませて、周縁部を把握可能に構成したことを特徴とする請求項１〜５のいずれか１項に記載の介助装置。
【請求項７】
支柱は環状フレーム部を支持する第１の支柱部と、面状支持部を支持する第２の支柱部とを構成したことを特徴とする請求項１に記載の介助装置。
【請求項８】
介助用支持体には、環状フレーム部と面状支持部の夫々に対応して、第１の支柱部と第２の支柱部を嵌合する筒状体を構成し、筒状体を夫々の支柱部に着脱可能に固定して介助用支持体を支持する構成としたことを特徴とする請求項７に記載の介助装置。
【請求項９】
第１の支柱部と第２の支柱部の上端部は、嵌合した夫々の筒状体の上端部から突出しない位置で固定する構成としたことを特徴とする請求項８に記載の介助装置。
【請求項１０】
第１の支柱部と第２の支柱部は伸縮パイプ構成としたことを特徴とする請求項７〜９のいずれか１項に記載の介助装置。
【請求項１１】
第１の支柱部又は第２の支柱部に嵌合固定して、端部を塞ぐ固定部材を構成したことを特徴とする請求項７〜１０のいずれか１項に記載の介助装置。
【請求項１２】
第１の支柱部又は第２の支柱部に嵌合固定して、介助用支持体の上方に立設状態とする介助用支柱部材を構成したことを特徴とする請求項７〜１０のいずれか１項に記載の介助装置。
【請求項１３】
支柱は、共通の下部支柱部の上側に第１の支柱部と第２の支柱部を構成し、下部支柱部は横方向に偏倚させていることを特徴とする請求項７〜１２のいずれか１項に記載の介助装置。
【請求項１４】
支柱は下部をベッド等の仰臥台に固定して立設する構成としたことを特徴とする請求項１〜１３のいずれか１項に記載の介助装置。
【請求項１５】
支柱は下部をベースに固定して自立式に立設する構成としたことを特徴とする請求項１〜１３のいずれか１項に記載の介助装置。
【発明の詳細な説明】
【技術分野】
【０００１】
本発明は、ベッドや診察台等の仰臥台や、ソファ等の近傍に設置して、要介助者や患者等の立ち上がりや、着座の動作、車いす等への移乗の動作等を補助するための介助装置に関する。
【背景技術】
【０００２】
例えば、ベッド等の仰臥台を使用している要介助者や患者等の使用者が、仰臥台の側部に着座している状態から立ち上がる動作を行ったり、逆に立ち上がった状態から着座する動作を行ったり、車いす等への移乗の動作を行う際に、これらの動作を容易に確実に行えるようにするための介助装置が従来から各種提案されている。
【０００３】
このような介助装置の一つの型式として、仰臥台のフレームに延設用部材を固定して、この延設用部材により、仰臥台の側方に適宜離れた位置に介助装置本体の支柱を立設状態で支持して、介助装置本体に設けているグリップやパッド等の介助部材を利用可能とする構成の仰臥台取付型介助装置や、支柱をベースで支持する自立式の介助装置が従来から各種提案されている。
【０００４】
このような型式の介助装置の従来例としては、例えば特許文献１〜３に記載されているものがある。
【０００５】
従来の介助装置の多くは、特許文献１〜３に記載されているように、横方向と縦方向の支持杆を設けたフレーム状の構成を有し、要介助者等がこれらの横方向又は縦方向の支持杆をグリップとして握ることで、仰臥台の側部に着座している状態から立ち上がる動作、逆に立ち上がった状態から着座する動作、又は車いす等への移乗の動作の補助をしていた。
【０００６】
特許文献２及び特許文献３の介助装置では、横方向と縦方向の支持杆のみであり、また特許文献１の介助装置では、支持杆部に加えてパッド等の面状支持部も使用する構成としている。
【先行技術文献】
【特許文献】
【０００７】
【特許文献１】特許第４５６５６４３号公報
【特許文献２】特許第２９６５１４５号公報
【特許文献３】実用新案登録第３０３４５３６号公報
【発明の開示】
【発明が解決しようとする課題】
【０００８】
従来の介助装置では、以下に示すような課題がある。
１．支持杆を使用するような介助装置では、支持杆を把握できる範囲が狭かったり、支柱等で分断されてしまっているものが多く、立ち座りや移乗動作において、手を持ち替える動作が必要になってしまったりして、使い勝手が良くない。
２．支柱を中心に身体を回転させる動作を行えるようにするために支柱で構成したものでは、支柱の高さによって、その先端部に衣服が引っ掛かってしまうというような不都合が生じる。
３．面状支持部のみを用いるものでは、その支持面積を十分なものとするためには、板状体そのものを大きくしなければならず、またこのような板状体の構成では、支持杆のように把握する立ち座りや移乗動作を行うことができない。
４．上述した特許文献１のように、支持杆と面状支持部としてのパッドの両方を利用するものもあるが、それらは同一平面状ではなく、合理的に組み合わされていないため、使い勝手が悪く、項目３に示したように、その支持面積を十分なものとするためには、パッドそのものを大きくしなければならない。
５．従来の介助装置では、介助装置本体を支持する支柱とは、単に直立に立設させる構成が殆どであり、この場合には、支柱と仰臥台やソファとの隙間が狭くなり、要介助者等が誤って転倒した場合に、隙間に身体が挟まってしまうという危険性がある。
６．支持杆やパッドまたは支柱等を必要に応じて適宜に設置できるようには構成されていない。
本発明は、以上のような課題を解決することを目的とするものである。
【課題を解決するための手段】
【０００９】
上述した課題を解決するために、本発明では、面状支持部と、その周囲に間隔を置いて配置した環状フレーム部とを略同一平面状に結合して介助用支持体を構成し、この介助用支持体を、立設した支柱で支持する構成とした介助装置を提案する。
【００１０】
また本発明では、前記構成において、介助用支持体は、面状支持部の一方側に偏倚させて設けた棒体を環状フレーム部に結合して構成した介助装置を提案する。
【００１１】
また本発明では、前記構成において、面状支持部を、板状体やフレームにより構成した介助装置を提案する。
【００１２】
また本発明では、前記構成において、面状支持部は、フレームを挟んで、一対の上下板状殻体を装着して構成した介助装置を提案する。
【００１３】
また本発明では、前記構成において、面状支持部の中央部を凹ませて、周縁部を把握可能に構成した介助装置を提案する。
【００１４】
また本発明では、前記構成において、支柱は環状フレーム部を支持する第１の支柱部と、面状支持部を支持する第２の支柱部とを構成した介助装置を提案する。
【００１５】
また本発明では、前記構成において、介助用支持体には、環状フレーム部と面状支持部の夫々に対応して、第１の支柱部と第２の支柱部を嵌合する筒状体を構成し、筒状体を夫々の支柱部に着脱可能に固定して介助用支持体を支持する構成とした介助装置を提案する。
【００１６】
また本発明では、前記構成において、第１の支柱部と第２の支柱部の上端部は、嵌合した夫々の筒状体の上端部から突出しない位置で固定する構成とした介助装置を提案する。
【００１７】
また本発明では、前記構成において、第１の支柱部と第２の支柱部は伸縮パイプ構成とした介助装置を提案する。
【００１８】
また本発明では、前記構成において、第１の支柱部又は第２の支柱部に嵌合固定して、端部を塞ぐ固定部材を構成した介助装置を提案する。
【００１９】
また本発明では、前記構成において、第１の支柱部又は第２の支柱部に嵌合固定して、介助用支持体の上方に立設状態とする介助用支柱部材を構成した介助装置を提案する。
【００２０】
また本発明では、前記構成において、支柱は、共通の下部支柱部の上側に第１の支柱部と第２の支柱部を構成し、下部支柱部は横方向に偏倚させている介助装置を提案する。
【００２１】
また本発明では、前記構成において、支柱は下部をベッド等の仰臥台やソファ等に固定して立設する構成とした介助装置を提案する。
【００２２】
また本発明では、前記構成において、支柱は下部をベースに固定して自立式に立設する構成とした介助装置を提案する。
【発明の効果】
【００２３】
本発明では、面状支持部と、その周囲に間隔を置いて配置した環状フレーム部とを略同一平面状に結合して介助用支持体を構成しているので、面状支持部と環状フレーム部とを有機的に利用して立ち座りや移乗動作を行うことができる。
【００２４】
まず、環状フレーム部を把握した立ち座りや移乗動作を行うことができ、把握する個所は環状フレーム部に沿って幅広い範囲で連続しているので、要介助者等は把握する個所をずらしながら移動動作を行うことができ、持ち替え等が必要なくなりため、使い勝手が良く、安全性も高い。
【００２５】
次に面状支持部と、その外周側の環状フレーム部を、一体の面状支持部として利用することができ、要介助者等は一体の面状支持部に前腕部を当てながら立ち上がり動作を行うことができる。この動作に際して、要介助者等は、一体の面状支持部を構成する前方側の環状フレーム部の一部を把握することができる。
【００２６】
介助用支持体は、面状支持部の一方側に偏倚させて設けた棒体を環状フレーム部に結合して構成すれば、棒体によって分断されない環状フレーム部の範囲を広くすることができ、把握する個所をずらしながらの移動動作範囲を広くすることができる。
【００２７】
面状支持部を、板状体の他に、フレームにより構成することもでき、またフレームを挟んで、一対の上下板状殻体を装着して面状支持部を構成することもできる。
【００２８】
面状支持部の中央部を凹ませて、周縁部を把握可能に構成することにより、更に多様な態様での立ち座りや移乗動作が可能となる。
【００２９】
支柱は環状フレーム部を支持する第１の支柱部と、面状支持部を支持する第２の支柱部とを構成することにより、介助用支持体を強固に安定して支持することができる。
【００３０】
そして介助用支持体には、環状フレーム部と面状支持部の夫々に対応して、第１の支柱部と第２の支柱部を嵌合する筒状体を構成し、筒状体を夫々の支柱部に着脱可能に固定して介助用支持体を支持する構成とすれば、２本の支柱に対して介助用支持体を垂直軸の周りに１８０°旋回させた２通りと、夫々に対して水平軸の周りに１８０°回転させた２通りに、介助用支持体を２本の支柱に対して支持することができ、２つの筒状体を、介助用支持体の非対称の位置に構成することにより、一つの介助用支持体で、４通りの姿勢で支持することができる。
【００３１】
第１の支柱部と第２の支柱部の上端部は、嵌合した夫々の筒状体の上端部から突出しない位置で固定する構成とすれば、介助用支持体の上面に突出物がなく、上述したように、面状支持部と環状フレーム部を一体の面状支持部として使用することができる。
【００３２】
第１の支柱部と第２の支柱部は伸縮パイプ構成とすることにより、要介助者等に応じて介助用支持体の高さを調節することができる。
【００３３】
第１の支柱部又は第２の支柱部に嵌合固定して、端部を塞ぐ固定部材を構成することにより、パイプ構成の支柱の端部を塞いで同一平面状とすることができる。
【００３４】
第１の支柱部又は第２の支柱部に嵌合固定して、介助用支持体の上方に立設状態とする介助用支柱部材を構成すれば、介助用支持体の上方に必要に応じて介助用支柱部材を設けることができ、更に多様な態様での立ち座りや立位保持等の動作が可能となる。
【００３５】
支柱を、共通の下部支柱部と、その上側に設けた第１の支柱部と第２の支柱部とから構成し、下部支柱部は横方向に偏倚させた構成とした場合には、設置状態において、下部支柱部が仰臥台等から離れた側に位置させると共に、第１、第２の支柱部を仰臥台等に近い側に位置させることができ、介助用支持体を、仰臥台等に、より近づけた場合にも、下部支柱部が足元の障害物とならないので、介助用支持体の使い勝手と安全性を更に向上することができる。
【００３６】
本発明の以上の介助装置は、支柱の下部を仰臥台等、即ちベッド等の仰臥台やソファ等に固定して立設する構成としたり、支柱の下部をベースに固定して自立式に立設する構成とすることができる。
【図面の簡単な説明】
【００３７】
【図１】本発明に係る介助装置の構成の例を示す斜視図である。
【図２】本発明に係る介助装置の構成を延設用部材を含めて示す斜視図である。
【図３】本発明に係る介助装置の構成を延設用部材により仰臥台に取りつけた例を示す斜視図である。
【図４】本発明に係る介助装置の構成の例を示す拡散図的斜視図である。
【図５】本発明に係る介助装置の支持体の面支持部を構成する例を示す斜視図である。
【図６】本発明に係る介助装置の介助用支持体の支柱への取付例を示す要部斜視図である。
【図７】本発明に係る介助装置の介助用支持体の支柱への他の取付例を示す要部斜視図である。
【図８】本発明に係る介助装置の介助用支持体の支柱への更に他の取付例を示す要部斜視図である。
【図９】本発明に係る介助装置の介助用支持体の支柱への更に他の取付例を示す要部斜視図である。
【図１０】本発明に係る介助装置の介助用支持体の他の例を示す説明的側面図である。
【図１１】本発明に係る介助装置の介助用支持体の他の例を示す要部斜視図である。
【図１２】本発明に係る介助装置の介助用支持体の更に他の例を示す要部斜視図である。
【図１３】本発明に係る介助装置の使用状態の例を示す斜視図である。
【図１４】本発明に係る介助装置の使用状態の他例を示す斜視図である。
【図１５】本発明に係る介助装置の使用状態の更に他例を示す斜視図である。
【図１６】本発明に係る介助装置の使用状態の更に他例を示す斜視図である。
【図１７】本発明に係る介助装置の他の例を示す正面図である。
【図１８】本発明に係る介助装置の他の例を示す斜視図である。
【発明を実施するための形態】
【００３８】
次に本発明の実施の形態を添付した図１〜図１８を参照して説明する。尚、図１〜図１８において、対応する構成要素には同一の符号を付している。
本発明の介助装置は、面状支持部１と、その周囲に間隔を置いて配置した環状フレーム部２とを略同一平面状に結合して介助用支持体３を構成し、この介助用支持体３を、立設した支柱４で支持する構成としたものである。
【００３９】
即ち、この実施の形態では、介助用支持体３は、面状支持部１の一方側に偏倚させて配置した棒体５を環状フレーム部２に結合して構成している。即ち、棒体５は略矩形状の環状フレーム部２の辺間に偏倚させて結合しており、そして辺間の中間部に小フレーム部６を構成している。そして棒体５の環状フレーム部２の一辺側と、中間部には、後記支柱１２、１３を嵌合するための筒状体７ａ、７ｂを設けている。
【００４０】
介助用支持体３は、このような構成の環状フレーム部２等を含むフレーム構造体を挟んで、一対の上下板状殻体８ａ，８ｂを上下方向から装着し、この装着した上下板状殻体８ａ、８ｂにより面状支持部１を構成している。上下板状殻体８ａ，８ｂは図５に示すように上記小フレーム部６に対応する係合溝部９と装着用爪１０を設けている。このような上下板状殻体８ａ，８ｂを装着せずに、前記小フレーム部６自体を面状支持部として利用することもでき、また単なる板状体を面状支持部として構成することもできる。
【００４１】
以上のようにして構成された面状支持部１は、中央部を凹ませており、従って周縁部１１を把握可能に構成している。
【００４２】
ここで支柱４は、図４及び図１０に分離した状態で示しているように、環状フレーム部２を支持する第１の支柱部１２と、面状支持部１を支持する第２の支柱部１３とを構成し、これらの支柱部１２、１３は、いずれも伸縮パイプ構成としている。即ち、第１の支柱部１２は下側のパイプ部１２ｏ内に上側のパイプ部１２ｉを嵌合する構成で、上側のパイプ部１２ｉには長さ方向に複数の通し穴１２ｈを設けると共に上端側に筒状体７ａ、７ｂに設けた通し穴７ｈに対応する通し穴１２ｈを設けている。一方、第２の支柱部１３は下側の無空棒体１３ｉの上方から上側のパイプ部１３ｏを嵌合する構成で、下側の無空棒体１３ｉには高さ方向に複数のねじ穴１３ｓを設け、また上側のパイプ部１３ｏには支柱相互の結合用の通し穴１３ｈと、上端側に筒状体７ａ、７ｂに設けた通し穴７ｈに対応する通し穴１３ｈを設けている。次に、符号１４は、第１の支柱部１２、第２の支柱部１３に嵌合固定して、端部を塞ぐと共に、これらと、支柱部１２、１３及び筒状体７ａ、７ｂを固定するための固定部材であり、この固定部材１４にはねじ穴１４ｓを設けている。尚、符号ｓは六角穴付ボタンボルト等の取付用ねじであり、符号１２ｓはパイプ部１２ｏの通し穴１２ｈ’の対向側に設けたナットである。
【００４３】
上記第１の支柱部１２の下側のパイプ部１２ｏはクランク状に構成して、横方向に偏倚させた下部支柱部１５を構成しており、その下端に取付用嵌合体１６を構成している。
【００４４】
次に本発明の介助装置の設置例につき、図２、図３を参照して説明する。
図３において、符号２１はベッド等の仰臥台を示すもので、２２は基部フレーム、２３は床部であり、床部２３は基部フレーム２２の上方に適宜の昇降機構、図示の場合にはパンタグラフ式昇降機構２４ａ、２４ｂを介して昇降可能に支持している。床部２３の図中左側の部分はパンタグラフ式昇降機構２４ａによって上昇された状態、図中右側の部分はパンタグラフ式昇降機構２４ｂによって下降された状態を示している。前記基部フレーム２２はこのようなパンタグラフ式昇降機構２４ａ、２４ｂによる床部２３の昇降には関わらない部材である。
【００４５】
以上の構成において、本発明の介助装置は、仰臥台２１の基部フレーム２２に、この仰臥台２１を設置する床面に支持させる延設用部材２５の一端部ａを固定し、この延設用部材２５を仰臥台２１の側方に延設すると共に、この延設用部材２５の他端部ｂに本発明の介助装置の下部支柱１５を立設支持可能に構成するもので、この際、前記延設用部材２５は、前記一端部ａと他端部ｂ間において仰臥台２１の側方空間を迂回する迂回形状に構成している。
【００４６】
迂回形状を有する延設用部材２５の実施の形態は、仰臥台２１の基部フレーム２２に固定するための固定部２６を一端部ａに設けると共に、固定部２６から仰臥台２１の幅方向に延びて仰臥台２１の側方に至る第１の部位２５ａと、第１の部位２５ａの端部から屈曲して仰臥台２１の長手方向に延びる第２の部位２５ｂとから構成され、第２の部位２５ｂの端部ｂに本発明の介助装置の下部支柱１５を支持するための立設支持部２９を構成している。立設支持部２９は、下部支柱１５に設けた取付用嵌合体１６を挿入した状態で、取付用ねじ３４を通し穴を通して取付用嵌合体１６に設けたねじ穴３５に螺合することにより、支柱４を立設状態で支持する構成である。
【００４７】
固定部２６は、基部フレーム２２の取り付けるべき平行な一対の部位に対応して、延設用部材２５の第１の部位２５ａから直角方向に突出する平行な一対の取付杆部２６ａ，２６ｂを構成しており、一方側の取付杆部２６ａには補強桟部３０を設けている。
【００４８】
取付杆部２６ａ，２６ｂの図中上面側と下面側の両側にはねじ穴３１を形成して、いずれの側からも、例えば六角穴付ボタンボルト等の取付用ねじ３２を螺合可能に構成している。一方、取付杆部２６ａ，２６ｂを取り付ける基部フレーム２２の部位にはねじの通し穴（図示省略）を形成している。また延設用部材２５の一端部ａにはレベル調整用のアジャスターボルト（図示省略）を螺合可能なねじ穴３３を形成しており、このねじ穴３３も延設用部材２５の一端部ａの図中上面側と下面側の両方に設けている。このような構成から、延設用部材２５は天地逆向きで使用可能である。
【００４９】
以上の構成において、本発明では、面状支持部１と、その周囲に間隔を置いて配置した環状フレーム部２とを略同一平面状に結合して介助用支持体３を構成しているので、面状支持部１と環状フレーム部２とを有機的に利用して立ち座りや移乗動作を行うことができる。
【００５０】
即ち、まず図１３に示すように、環状フレーム部２を把握した立ち座りや移乗動作を行うことができ、把握する個所は環状フレーム部２に沿って幅広い範囲で連続しているので、要介助者等ｍは把握する個所をずらしながら移動動作を行うことができ、持ち替え等が必要なくなるため、使い勝手が良く、安全性も高い。
【００５１】
次に面状支持部１と、その外周側の環状フレーム部２を、一体の面状支持部として利用することができる。例えば要介助者等ｍは例えば図１４に示すように、一体の面状支持部に前腕部を当てながら立ち上がり動作を行うことができる。この動作に際して、要介助者等ｍは、一体の面状支持部を構成する前方側の環状フレーム部２の一部を把握することができる。
【００５２】
介助用支持体３は、面状支持部１の一方側に偏倚させて設けた棒体５を環状フレーム部２に結合した構成とすることにより、棒体５によって分断されない環状フレーム部２の範囲を広くすることができ、把握する個所をずらしながらの移動動作範囲を広くすることができる。
【００５３】
またこの実施の形態では、面状支持部１の中央部を凹ませて、周縁部１１を把握可能に構成しているので、更に多様な態様での立ち座りや移乗動作が可能となる。
【００５４】
更にこの実施の形態では、支柱４は環状フレーム部２を支持する第１の支柱部１２と、面状支持部１を支持する第２の支柱部１３とを構成することにより、介助用支持体３を強固に安定して支持することができる。
【００５５】
更にこの実施の形態では、介助用支持体３に、環状フレーム部２と面状支持部１の夫々に対応して、第１の支柱部１２と第２の支柱部１３を嵌合する筒状体７ａ、７ｂを構成し、筒状体７ａ、７ｂを夫々の支柱部１２、１３に着脱可能に固定して介助用支持体３を支持する構成としているので、２本の支柱１２、１３に対して図６、図７に示すように介助用支持体３を水平軸の周りに１８０°回転させた２通りに、２本の支柱に対して支持することができる。また本発明では、その他の実施の形態として、図６、図８に示すように介助用支持体３を垂直軸の周りに１８０°回転させて２本の支柱に対して支持することができる。更に図６、図９に示すように介助用支持体３を水平軸の周りに１８０°、垂直軸の周りに１８０°回転させた形態も可能で、一つの介助用支持体３で、図６〜図９に示すように、４通りの姿勢で支持することができる。
【００５６】
更にこの実施の形態では、第１の支柱部１２と第２の支柱部１３の上端部は、嵌合した夫々の筒状体７ａ、７ｂの上端部から突出しない位置で固定する構成としているので、介助用支持体３の上面に突出物がなく、上述したように、面状支持部１と環状フレーム部２を一体の面状支持部として良好に使用することができる。
【００５７】
更に、第１の支柱部１２と第２の支柱部１３は伸縮パイプ構成としているので、要介助者等ｍに応じて介助用支持体３の高さを調節することができる。
【００５８】
更にこの実施の形態では、第１の支柱部１２又は第２の支柱部１３に嵌合固定して、端部を塞ぐ固定部材１４を構成することにより、パイプ構成の支柱部１２、１３の端部を塞いで同一平面状とすることができる。尚、この場合、介助用支持体３の筒状体７ａ、７ｂの支柱部１２、１３への固定は、筒状体７ａ，７ｂの通し穴７ｈから通したねじを支柱部１２、１３の通し穴１２ｈ、１３ｈを経て固定部材１４に設けたねじ穴１４ｓに螺合することによって行うことができる。
【００５９】
本発明では、図１０〜図１２に示すように、第１の支柱部１２又は第２の支柱部１３に嵌合固定して、介助用支持体３の上方に立設状態とする介助用支柱部材１８を構成することができ、この構成により介助用支持体３の上方に必要に応じて介助用支柱部材１８を設けることができる。介助用支柱部材１８には上端部を把握するためのキャップ１９、２０を設けることができる。例えばキャップ１９は上側に平坦な凸曲面部を設けると共に下側に把握用の環状突部を設けた構成としており、またキャップ２０は上下を凸曲面部とした円柱体として構成している。
【００６０】
このような介助用支持部材１８を必要に応じて介助用支持体３の上方に設けることにより、更に多様な態様での立ち座りや移乗動作が可能となる。その例を説明すると、例えば、図１２、図１５に示すように介助用支持部材１８を第２の支柱部１３の上部に固定して立設した場合において、要介助者等ｍはこの介助用支柱部材１８を一方の手で把握すると共に、他の手で環状フレーム部２を把握した状態で、仰臥台２１からの立ち上がりや、着座の動作を容易に確実に行うことができる。また他の例として、図１１、図１６に示すように介助用支持部材１８を第１の支柱部１２の上部に固定して立設した場合において、要介助者等ｍはこの介助用支柱部材１８のみを把握して立ち上がりや、介助用支柱部材１８によりかかることができ、着座又は車いす等への移乗動作を容易に確実に行うことができる。
【００６１】
更に、本発明の実施の形態においては、支柱４を、共通の下部支柱部１５と、その上側に設けた第１の支柱部１２と第２の支柱部１３とから構成し、下部支柱部１５は横方向に偏倚させた構成としているので、設置状態において、下部支柱部１５が仰臥台２１等から離れた側に位置させると共に、第１、第２の支柱部１２、１３を仰臥台２１等に近い側に位置させることができ、この場合には、介助用支持体３を、仰臥台２１等に、より近づけた場合にも、下部支柱部１５が足元の障害物とならないので、介助用支持体３の使い勝手と安全性を更に向上することができる。
【００６２】
本発明では、その他の実施の形態として、例えば図１７に示すように、第１の支柱部、第２の支柱部１２、１３のいずれも、下側の棒体１２ｉ、１３ｉの外側に上側のパイプ部１２ｏ、１３ｏを嵌合して、上述した実施の形態と同様な調節ねじ機構で高さ調節可能な構成とすることが出来る。この構成では、第１、第２の支柱部１２、１３のパイプは連結杆４０により一体に構成することができる。
【００６３】
更に本発明では、以上の実施の形態に示すように、支柱４の下部を仰臥台２１等に固定して立設する構成とする他、図１７に示すように支柱４の下部をベース４１に固定して自立式に立設する構成とすることができる。
【産業上の利用可能性】
【００６４】
本発明の介助装置は、ベッドや診察台等の仰臥台の他に、要介助者等が使用する椅子やソファ等に取り付けたり、それらに近接して自立式に設置できるものである。
【符号の説明】
【００６５】
１                      面状支持部
２                      環状フレーム部
３                      介助用支持体
４                      支柱
５                      棒体
６                      小フレーム部
７ａ、７ｂ              筒状体
７ｈ                  通し穴
８ａ，８ｂ              上下殻体
９                      係合溝部
１０                    装着用爪
１１                    周縁部
１２                    第１の支柱部
１２ｉ，１２ｏ        パイプ部
１２ｈ，１２ｈ’      通し穴
１２ｓ                ナット
１３                    第２の支柱部
１３ｉ                無空棒体
１３ｏ                パイプ部
１３ｈ                通し穴
１３ｓ                ねじ穴
１４                    固定部材
１４ｓ                ねじ穴
１５                    下部支柱部
１６                    取付用嵌合体
１８                    介助用支柱部材
１９、２０              キャップ
２１                    仰臥台
２２                    基部フレーム
２３                    床部
２４ａ，２４ｂ          パンタグラフ式昇降機構
２５                    延設用部材
２５ａ                第１の部位
２５ｂ                第２の部位
２６                    固定部
２６ａ，２６ｂ        取付杆部
２９                    立設支持部
３０                    補強桟部
３１                    ねじ穴
３２，ｓ                取付用ねじ
３３                    ねじ穴
３４                    取付用ねじ
３５                    ねじ穴
４０                    連結杆
４１                    ベース
ｍ                      要介助者等
【図１】
2015073849.tif 000003
【図２】
2015073849.tif 000004
【図３】
2015073849.tif 000005
【図４】
2015073849.tif 000006
【図５】
2015073849.tif 000007
【図６】
2015073849.tif 000008
【図７】
2015073849.tif 000009
【図８】
2015073849.tif 000010
【図９】
2015073849.tif 000011
【図１０】
2015073849.tif 000012
【図１１】
2015073849.tif 000013
【図１２】
2015073849.tif 000014
【図１３】
2015073849.tif 000015
【図１４】
2015073849.tif 000016
【図１５】
2015073849.tif 000017
【図１６】
2015073849.tif 000018
【図１７】
2015073849.tif 000019
【図１８】
2015073849.tif 000020